(57)【要約】【課題】指挿通部を設けることで、指が把持部から外れることがないようにする。【解決手段】本体部２０の中央には透孔から成る指挿通部２３が穿設されている。刃部保持部２２の先端には、板刃部３０の両端を係止する一対の保持孔２５が対向するように穿設されている。  板刃部３０は金属板であって、中央にスリット状の皮排出溝３１が設けられており、板刃部３０の両縁部には鋭利な刃部３２が形成されている。ピーラ１０を右手で使用する場合は、親指により凹部２６を、中指、薬指で凹部２７を把持し、更に指挿通部２３に人差し指を挿通する。この状態で野菜等の表面に板刃部３０に刃部３２を当接し摺動させることで、刃部３２により削り取られた皮が皮排出溝３１から排出される。このように、把持する際に、人差し指を指挿通部２３に挿通させているために、手から滑り落とすことはない。【選択図】図２
2017018531.tif 000002
【特許請求の範囲】
【請求項１】
把持部、及び該把持部と連続し、先端が分岐した刃部保持部を備えた本体部と、前記刃部保持部の先端間に保持した金属製の板刃部とから成るピーラであって、
前記把持部に１個所又は２個所の指挿通部を設けたことを特徴とするピーラ。
【請求項２】
前記指挿通部は前記本体部の中央に設けた孔部としたことを特徴とする請求項１に記載のピーラ。
【請求項３】
前記指挿通部は前記本体部に対して垂直に起立するリング状としたことを特徴とする請求項１に記載のピーラ。
【請求項４】
前記指挿通部は、水平方向に張り出すように前記本体部の両側に設けたことを特徴とする請求項１に記載のピーラ。
【請求項５】
前記指挿通部はリング状であることを特徴とする請求項４に記載のピーラ。
【発明の詳細な説明】
【技術分野】
【０００１】
本発明は、例えば野菜等の皮を剥くためのピーラに関するものである。
【背景技術】
【０００２】
特許文献１には、従来の野菜や果物等の皮を剥くピーラが開示されている。このピーラの刃部を野菜等の皮に当接し、引っ張るように摺動することで、安全に素速く皮を剥くことができる。
【先行技術文献】
【特許文献】
【０００３】
【特許文献１】実用新案登録第３１８８９６５号公報
【発明の概要】
【発明が解決しようとする課題】
【０００４】
しかし上述のピーラでは、把持部を手で掴んだ状態で手前側に引っ張るように摺動させたときに、手が濡れていると把持部から指が滑ってしまうことがある。
【０００５】
このような手の滑りを防止するために、把持部と刃部を保持する刃部保持部との間に凹みを設けて指をこの凹みに掛けるようにして皮を剥くピーラも広く知られている。
【０００６】
しかし、野菜等の厚い皮を剥くときのように、力が必要な場合に手が濡れていると、指が凹みから滑ってしまうという問題がある。更に、滑ったピーラの刃部により、怪我をする虞れもある。
【０００７】
本発明の目的は、上述の課題を解消し、指挿通部を設けることで、指が外れることのなく、安全に素速く皮を剥くピーラを提供することにある。
【課題を解決するための手段】
【０００８】
上記目的を達成するための本発明に係るピーラは、把持部、及び該把持部と連続し、先端が分岐した刃部保持部を備えた本体部と、前記刃部保持部の先端間に保持した金属製の板刃部とから成るピーラであって、前記把持部に１個所又は２個所の指挿通部を設けたことを特徴とする。
【発明の効果】
【０００９】
本発明に係るピーラによれば、指挿通部を設けることにより使用中に滑りを生ずることがなく、手からピーラが離れることはない。従って、野菜等の皮剥きを安全に素速く剥くことができ、引っ張り方向に対して強い力を掛けることが可能である。
【図面の簡単な説明】
【００１０】
【図１】実施例１のピーラの斜視図である。
【図２】手により把持した状態の斜視図である。
【図３】実施例２のピーラの斜視図である。
【図４】実施例３のピーラの斜視図である。
【図５】実施例３の変形例であるピーラの斜視図である。
【発明を実施するための形態】
【００１１】
本発明を図示の実施例に基づいて詳細に説明する。
【実施例１】
【００１２】
図１は実施例１におけるピーラの斜視図であり、図２はピーラを把持した状態の斜視図である。
【００１３】
ピーラ１０は、プラスチック等から成る本体部２０と、この本体部２０の先端間に保持された金属製の板刃部３０とから構成されている。本体部２０は一体成型により造られた板状体であり、把持部２１と、この把持部２１に連続し、先端が逆Ｕ字状に分岐した刃部保持部２２とから成っている。
【００１４】
また、本体部２０の中央の１個所には透孔から成り指係止部として機能する指挿通部２３が穿設されており、この指挿通部２３の直径は２ｃｍ程度である。把持部２１の後端中央には、不使用時にフック等に引っ掛けるためのフック用孔部２４が設けられている。
【００１５】
刃部保持部２２の先端には、板刃部３０の両端を係止する一対の保持孔２５が対向するように穿設されている。また、刃部保持部２２側の把持部２１の両側面には内側に凹んだ凹部２６、２７が設けられている。
【００１６】
板刃部３０は薄板状のアルミニウム、ステンレス等から成る金属板であって、中央にスリット状の皮排出溝３１が設けられており、皮排出溝３１の上縁部には鋭利な刃部３２が形成されている。
【００１７】
また、板刃部３０の両端には、刃部保持部２２の保持孔２５に挿入する係止突部３３が設けられており、これらの係止突部３３を保持孔２５に挿入し、図示のように板刃部３０は傾いた状態で刃部保持部２２に保持される。
【００１８】
ピーラ１０を右手で使用する場合は、図２に示すように親指により凹部２６を、中指、薬指で凹部２７を把持し、更に指挿通部２３に人差し指を挿通する。この状態で野菜等の表面に板刃部３０の刃部３２を当接し、野菜の表面に沿ってピーラ１０を手前側へ摺動させることで、刃部３２により削り取られた皮が皮排出溝３１から排出される。
【００１９】
このように、ピーラ１０を把持する際に、人差し指を指挿通部２３に挿通させているために、手からピーラ１０を滑り落とすことはない。
【実施例２】
【００２０】
図３は実施例２のピーラの斜視図であり、実施例１の指挿通部２３に代えて、本体部２０に対して垂直に起立し、板刃部３０と直角になるように配置したリング状の指挿通部２３ａが設けられている。
【００２１】
このピーラ１０を使用する場合には、人差し指を指挿通部２３ａに挿通し、手から滑らないようにして使用する。なお、指挿通部２３ａの本体部２０の設置個所は、手で把持した際に人差し指が挿通し易いように本体部２０の片側に寄る位置に配置することが好ましい。
【実施例３】
【００２２】
図４は実施例３のピーラ１０の斜視図であり、本体部２０の図１に示す両側の凹部２６、２７のそれぞれの外側の２個所に、張り出すようにリング状の指挿通部２３ｂが設けられている。
【００２３】
使用に際しては、これらの水平方向に張り出したリング状の指挿通部２３ｂに、例えば親指と人差し指とをそれぞれ挿通して使用する。なお、親指を挿入する指挿通部２３ｂの直径を、人差し指を挿入する指挿通部２３ｂの直径よりも大きくしてもよい。
【００２４】
図５は実施例３のピーラの変形例の斜視図である。両側の指挿通部２３ｃは完全なリング状ではなく、一部が切欠されている。図４のピーラ１０と同様に指挿通部２３ｃに親指と人差し指とをそれぞれ配置することができる。
【００２５】
実施例１〜３のピーラ１０は、いずれも使用中に滑りを生ずることがなく、手からピーラ１０が離れることはない。従って、野菜等の皮剥きに際しては引っ張り方向に対して強い力を掛けることが可能である。
【符号の説明】
【００２６】
１０  ピーラ
２０  本体部
２１  把持部
２２  刃部保持部
２３  指挿通部
３０  板刃部
３１  皮排出溝
３２  刃部
【図１】
2017018531.tif 000003
【図２】
2017018531.tif 000004
【図３】
2017018531.tif 000005
【図４】
2017018531.tif 000006
【図５】
2017018531.tif 000007